(57)【要約】【課題】鉄塔のリングに設置されたパラボラアンテナユニットを所望の位置まで水平移動するためのアンテナ移動装置及びアンテナ移動方法を提供する。【解決手段】鉄塔の周囲に固定されたリングの第１位置に設置されたパラボラアンテナユニットを、リングに沿って第１位置からリングの第２位置まで移動させるためのアンテナ移動装置であって、少なくとも第１位置から第２位置に至るまでリングに沿って固定され、パラボラアンテナユニットを第１位置から第２位置まで案内するレール部材と、パラボラアンテナユニットに固定され、パラボラアンテナユニットをレール部材に係合可能とする移動補助部材と、を備える。【選択図】図６
2015070490.tif 000002
【特許請求の範囲】
【請求項１】
鉄塔の周囲に固定されたリングの第１位置に設置されたパラボラアンテナユニットを、前記リングに沿って前記第１位置から前記リングの第２位置まで移動させるためのアンテナ移動装置であって、
少なくとも前記第１位置から前記第２位置に至るまで前記リングに沿って固定され、前記パラボラアンテナユニットを前記第１位置から前記第２位置まで案内するレール部材と、
前記パラボラアンテナユニットに固定され、前記パラボラアンテナユニットを前記レール部材に係合可能とする移動補助部材と、を備えること
を特徴とするアンテナ移動装置。
【請求項２】
前記レール部材は、水平方向に延びる設置平面を備え、前記設置平面は、前記リング上に配置した１以上のスペーサが形成する平面上に配置されることを特徴とする請求項１に記載のアンテナ移動装置。
【請求項３】
前記スペーサは、前記リングの上部の突起部分を避けた少なくとも２つの位置に設けられ、前記スペーサが形成する前記平面は、前記突起部分の高さよりも高いことを特徴とする請求項２に記載のアンテナ移動装置。
【請求項４】
前記レール部材は、鉛直方向上向きに延びるアンテナ支持部を備え、前記パラボラアンテナユニットは、前記移動補助部材によって、前記アンテナ支持部に係合しつつ前記レール部材に沿って移動可能であることを特徴とする請求項１乃至請求項３のうち、いずれか１に記載のアンテナ移動装置。
【請求項５】
前記移動補助部材は、一方の側面が前記パラボラアンテナユニットの裏側上部に固定され、他方の側面に押さえプレートが設けられた摺動プレートを備え、前記パラボラアンテナユニットと前記押さえプレートとが形成する空間内において、前記摺動プレートの下面が前記アンテナ支持部の上面と接触することによって、前記パラボラアンテナユニットは、前記アンテナ支持部に係合しつつ前記レール部材に沿って移動可能としていることを特徴とする請求項４に記載のアンテナ移動装置。
【請求項６】
前記レール部材は、複数の分割レールからなり、前記複数の分割レールは、前記第１位置から前記第２位置に至るまで、前記リングに沿った一連の円弧形状を形成することを特徴とする請求項１乃至請求項５のうち、いずれか１に記載のアンテナ移動装置。
【請求項７】
前記移動補助部材は、前記パラボラアンテナユニットを前記リングに設置するために設けたボルト穴を用いて、前記パラボラアンテナユニットに固定されることを特徴とする請求項１乃至請求項６のうち、いずれか１に記載のアンテナ移動装置。
【請求項８】
前記摺動プレートの下面は、前記アンテナ支持部との接触面積を減らすような曲面形状を備えることを特徴とする請求項５、請求項５に従属する請求項６、及び、請求項５に従属する請求項７のうち、いずれか１に記載のアンテナ移動装置。
【請求項９】
鉄塔の周囲に固定されたリングの第１位置に設置されたパラボラアンテナユニットを、前記リングに沿って前記第１位置から前記リングの第２位置まで移動させる方法であって、
前記パラボラアンテナユニットを前記リングから取り外して吊り上げた状態で、前記リングに沿った円弧形状のレール部材を設置するレール部材設置工程と、
前記リングから吊り上げられた状態の前記パラボラアンテナユニットに対して、移動補助部材を取り付ける移動補助部材取り付け工程と、
前記移動補助部材が取り付けられた前記パラボラアンテナユニットを、前記レール部材に係合させつつ摺動させることにより、前記パラボラアンテナユニットを前記第１位置から前記第２位置まで移動させるアンテナ移動工程と、
を備えることを特徴とするアンテナ移動方法。
【発明の詳細な説明】
【技術分野】
【０００１】
本発明は、鉄塔の周囲に固定されたリングに設置されたパラボラアンテナユニットをリングに沿って所望の位置まで水平移動するためのアンテナ移動装置及びアンテナ移動方法に関する。
【背景技術】
【０００２】
一般にパラボラアンテナ取り付け用の自立式鉄塔には、使用目的や周波数帯の相違から、高さ及び方向を変えた複数のアンテナが設置される。従来、新たなアンテナを設置する場合や、古いアンテナを撤去する場合、いずれかのアンテナを新しいアンテナに交換する場合など、クレーン等を用いて対象となるアンテナを地上から吊り上げ、又は、地上まで吊り降ろすなどの作業を行っていた。
【先行技術文献】
【特許文献】
【０００３】
【特許文献１】特願２０１２−０７６８４５号明細書
【発明の概要】
【発明が解決しようとする課題】
【０００４】
近年、アンテナの構成はより精密になっており、アンテナの取り外し作業や取り付け作業において、取り外し又は取り付け対象となるアンテナが、設置済アンテナや鉄塔に接触することによる損傷が発生しないようにしながら、対象アンテナを取り外す又は取り付けることが求められている。また、接触以外にも、設置済の運用中アンテナの電波発射方向（前面）を取り外し又は取り付け対象の対象アンテナが遮蔽しないようにすることも必要であるため、対象アンテナを地上に吊り降ろす又は地上から吊り上げる経路について、設置済アンテナ等を避けるように制約が生じている。
更に、鉄塔を立地する地形や、周囲の状況（例えば、局舎などの建物、樹木、その他地上の障害物の存在）により、アンテナを地上に降ろす位置等が限定される場合も多い。
これに対して、特許文献１に記載のアンテナの取り外し作業においては、複数の滑車にワイヤーロープをかけ、このワイヤーロープの引っ張り具合を調整することによって対象アンテナの吊り降ろし位置及び経路を変更している。しかし、この取り外し作業は、重量の大きなアンテナを吊った状態でワイヤーロープを調整するため、作業者の経験や技量に負うところが多く、作業効率や正確性等の点で困難を伴う場合があり、このため、作業中に対象のアンテナが対象以外のアンテナや鉄塔に接触するおそれがあった。
【０００５】
そこで本発明は、鉄塔の周囲に固定されたリングに設置されたパラボラアンテナユニットをリングに沿って所望の位置まで水平移動するためのアンテナ移動装置及びアンテナ移動方法を提供することを目的とする。
【課題を解決するための手段】
【０００６】
上記課題を解決するために、本発明のアンテナ移動装置は、鉄塔の周囲に固定されたリングの第１位置に設置されたパラボラアンテナユニットを、前記リングに沿って前記第１位置から前記リングの第２位置まで移動させるためのアンテナ移動装置であって、少なくとも前記第１位置から前記第２位置に至るまで前記リングに沿って固定され、前記パラボラアンテナユニットを前記第１位置から前記第２位置まで案内するレール部材と、前記パラボラアンテナユニットに固定され、前記パラボラアンテナユニットを前記レール部材に係合可能とする移動補助部材と、を備えることを特徴とする。
【０００７】
また、本発明のアンテナ移動装置において、前記レール部材は、水平方向に延びる設置平面を備え、前記設置平面は、前記リング上に配置した１以上のスペーサが形成する平面上に配置されることを特徴とする。
【０００８】
また、本発明のアンテナ移動装置において、前記スペーサは、前記リングの上部の突起部分を避けた少なくとも２つの位置に設けられ、前記スペーサが形成する前記平面は、前記突起部分の高さよりも高いことを特徴とする。
【０００９】
また、本発明のアンテナ移動装置において、前記レール部材は、鉛直方向上向きに延びるアンテナ支持部を備え、前記パラボラアンテナユニットは、前記移動補助部材によって、前記アンテナ支持部に係合しつつ前記レール部材に沿って移動可能であることを特徴とする。
【００１０】
また、本発明のアンテナ移動装置において、前記移動補助部材は、一方の側面が前記パラボラアンテナユニットの裏側上部に固定され、他方の側面に押さえプレートが設けられた摺動プレートを備え、前記パラボラアンテナユニットと前記押さえプレートとが形成する空間内において、前記摺動プレートの下面が前記アンテナ支持部の上面と接触することによって、前記パラボラアンテナユニットは、前記アンテナ支持部に係合しつつ前記レール部材に沿って移動可能としていることを特徴とする。
【００１１】
また、本発明のアンテナ移動装置において、前記レール部材は、複数の分割レールからなり、前記複数の分割レールは、前記第１位置から前記第２位置に至るまで、前記リングに沿った一連の円弧形状を形成することを特徴とする。
【００１２】
また、本発明のアンテナ移動装置において、前記移動補助部材は、前記パラボラアンテナユニットを前記リングに設置するために設けたボルト穴を用いて、前記パラボラアンテナユニットに固定されることを特徴とする。
【００１３】
また、本発明のアンテナ移動装置において、前記摺動プレートの下面は、前記アンテナ支持部との接触面積を減らすような曲面形状を備えることを特徴とする。
【００１４】
また、本発明のアンテナ移動方法は、鉄塔の周囲に固定されたリングの第１位置に設置されたパラボラアンテナユニットを、前記リングに沿って前記第１位置から前記リングの第２位置まで移動させる方法であって、前記パラボラアンテナユニットを前記リングから取り外して吊り上げた状態で、前記リングに沿った円弧形状のレール部材を設置するレール部材設置工程と、前記リングから吊り上げられた状態の前記パラボラアンテナユニットに対して、移動補助部材を取り付ける移動補助部材取り付け工程と、前記移動補助部材が取り付けられた前記パラボラアンテナユニットを、前記レール部材に係合させつつ摺動させることにより、前記パラボラアンテナユニットを前記第１位置から前記第２位置まで移動させるアンテナ移動工程と、を備えることを特徴とする。
【発明の効果】
【００１５】
本発明によると、パラボラアンテナユニットの移動を案内するレール部材と、パラボラアンテナユニットをレール部材に係合可能とする移動補助部材と、を設けることにより、簡単な構成で正確にパラボラアンテナユニットを所望の経路で移動させ、地上まで降ろすことができる。
【図面の簡単な説明】
【００１６】
【図１】（ａ）は、パラボラアンテナユニットが設置される鉄塔の概略構成を示す側面図、（ｂ）乃至（ｅ）は、鉄塔に固定した第１リング乃至第４リング及び各リングに設置したパラボラアンテナユニットの概略構成をそれぞれ示す上面図である。
【図２】（ａ）は、図１の第２リング及び第２リングに設置したパラボラアンテナユニットの構成を示す平面図、（ｂ）は、パラボラアンテナユニットと固定具との結合関係を示す、（ａ）の線ＩＩＢ−ＩＩＢ’における断面図である。
【図３】（ａ）は、図２（ａ）の第２リングに対してスペーサを配置した状態を示す平面図、（ｂ）は、第２リングとスペーサとの結合関係を示す、（ａ）の線ＩＩＩＢ−ＩＩＩＢ’における断面図である。
【図４】スペーサの構成を示す図であり、（ａ）は平面図、（ｂ）は底面図、（ｃ）は（ａ）のＩＶＣ方向から見た側面図である。
【図５】（ａ）は、図３（ａ）の第２リングに対してレール部材を配置した状態を示す上面図、（ｂ）は、第２リング、スペーサ、及びレール部材の結合関係を示す、（ａ）の線ＶＢ−ＶＢ’における断面図である。
【図６】（ａ）は、図５（ａ）のレール部材に対してパラボラアンテナユニットを設置した状態を示す平面図、（ｂ）は、第２リング、スペーサ、レール部材、及びパラボラアンテナユニットの結合関係を示す、（ａ）の線ＶＩＢ−ＶＩＢ’における断面図である。
【図７】（ａ）は、摺動プレートの構成を示す正面図、（ｂ）は、押さえプレートの構成を示す正面図である。
【図８】（ａ）は、パラボラアンテナユニットを第２リングに固定した状態を示す一部断面図、（ｂ）は、パラボラアンテナユニットに移動補助部材を固定した状態を示す一部断面図である。
【図９】パラボラアンテナユニットを地上へ吊り降ろす状態を示す外観図である。
【発明を実施するための形態】
【００１７】
以下、本発明の実施形態に係るアンテナ移動装置及びアンテナ移動方法について図面を参照しつつ詳しく説明する。以下の説明において、上下方向は鉛直方向であり、特に断らない場合は、構成の説明は鉄塔１０に取り付けた姿勢に基づいて行う。尚、以下は、アンテナの撤去時を例に説明するが、本発明は、新規アンテナや、交換後のアンテナを鉄塔に設置する場合にも同様に適用可能である。
図１（ａ）は、パラボラアンテナユニットが設置される鉄塔の概略構成を示す側面図、（ｂ）乃至（ｅ）は、鉄塔に固定した第１リング乃至第４リング及び各リングに設置したパラボラアンテナユニットの概略構成をそれぞれ示す上面図である。
アンテナ移動装置１００（図６（ｂ）参照）は、鉄塔１０の周囲に固定されたリング２１乃至２４に対してそれぞれ設置されたパラボラアンテナユニット３１乃至３７を、リングに沿って第１位置Ｐ１から第２位置Ｐ２（図６（ａ）参照）まで移動させるために設けられる。図１に示す例では、地面Ｅ上に設置された鉄塔１０の周囲の所定高さにそれぞれ複数のリング（第１リング２１、第２リング２２、第３リング２３、第４リング２４）が固定されており、更に、それらのリングの外周には、複数のパラボラアンテナユニット３１、３２、３３、３４、３５、３６、３７が設置されている。リングの設置高さ、設置数、及び、リングに対するパラボラアンテナユニットの設置位置（方位）は、当該パラボラアンテナが通信を行う対向無線基地局の方向（方位）となるため、必然的に決定される。
【００１８】
アンテナ移動装置１００は、図６（ｂ）に示すように、レール部材７０ａ及び移動補助部材８０を備える。レール部材７０ａは、図５（ｂ）に示すように、レール基部７１とアンテナ支持部７２とからなる。移動補助部材８０は、図６（ｂ）に示すように、摺動プレート８１と押さえプレート８２とを備える。
【００１９】
以下、第２リング２２に設置したパラボラアンテナユニット３２、３３（図１（ｃ）参照）を例にとって、リング、パラボラアンテナユニット、及び、アンテナ移動装置の構成、並びに、パラボラアンテナユニットの設置から取り外しまでの工程について説明する。これらの構成及び工程は、第１リング２１、第３リング２３、又は、第４リング２４に設置したパラボラアンテナユニットについても同様である。
図２（ａ）は、図１の第２リング及び第２リングに設置したパラボラアンテナユニットの構成を示す平面図、図２（ｂ）はパラボラアンテナユニットと固定具の結合関係を示す、図２（ａ）の線ＩＩＢ−ＩＩＢ’における断面図である。図３（ａ）は、図２（ａ）の第２リングに対してスペーサを配置した状態を示す平面図、図３（ｂ）は第２リングとスペーサとの結合関係を示す、図３（ａ）の線ＩＩＩＢ−ＩＩＩＢ’における断面図である。図４は、スペーサの構成を示す図であり、（ａ）は平面図、（ｂ）は底面図、（ｃ）は（ａ）のＩＶＣ方向から見た側面図である。図５（ａ）は、図３（ａ）の第２リングに対してレール部材を配置した状態を示す平面図、図５（ｂ）は第２リング、スペーサ、及びレール部材の結合関係を示す、図５（ａ）の線ＶＢ−ＶＢ’における断面図である。図６（ａ）は、図５（ａ）のレール部材に対してパラボラアンテナユニットを設置した状態を示す平面図、図６（ｂ）は第２リング、スペーサ、レール部材、及びパラボラアンテナユニットの結合関係を示す、図６（ａ）の線ＶＩＢ−ＶＩＢ’における断面図である。図７（ａ）は摺動プレートの構成を示す正面図、図７（ｂ）は押さえプレートの構成を示す正面図である。図８（ａ）はパラボラアンテナユニットを第２リングに固定した状態を示す一部断面図、図８（ｂ）はパラボラアンテナユニットに移動補助部材を固定した状態を示す一部断面図である。
【００２０】
（１）リングへのパラボラアンテナユニットの設置
図２（ａ）に示すように、第２リング２２は、鉄塔１０の複数の塔脚１１からそれぞれ延びる複数の腕部１２によって鉄塔１０に固定されている。ここで、第２リング２２は、図２（ｂ）に示すように、鉛直方向（図２（ｂ）の上下方向）において対向配置された２つのリング部材２２ａ、２２ｂからなる。リング部材２２ａは、水平方向に延びる面と鉛直方向下向きに延びる面とを備え、水平方向に直交する断面が逆Ｌ字型をなしており、一方、リング部材２２ｂの同断面はＬ字型をなしている。
第２リング２２の外周において、所定の設置位置（第１位置）Ｐ１、Ｐ１’に、パラボラアンテナユニット３２、３３がそれぞれ設置されている。
【００２１】
以下、図２（ｂ）を参照して、第２リング２２に対するパラボラアンテナユニット３２の設置構造について説明する。第２リング２２に対するパラボラアンテナユニット３３の設置構造も同様である。
パラボラアンテナユニット３２は、電波を反射させる反射器３２ａと、反射器３２ａの向きを変更可能な状態で反射器３２ａを支持する架台３２ｂと、を備える。パラボラアンテナユニット３２は、Ｖ字ボルト４１、４２により第２リング２２に固定される。具体的には、パラボラアンテナユニット３２の上部は、リング部材２２ａを横から挟むようにＶ字ボルト４１を配置し、Ｖ字ボルト４１の先端のボルト部４１ａ、４１ｂを、架台３２ｂの裏側３２ｃに設けたボルト穴３２ｄ、３２ｅにそれぞれ挿通させ、ナットで固定される。また、パラボラアンテナユニット３２の下部は、リング部材２２ｂを挟むようにＶ字ボルト４２を配置し、Ｖ字ボルト４２の先端のボルト部４２ａ、４２ｂを、架台３２ｂの裏側３２ｃに設けたボルト穴３２ｆ、３２ｇにそれぞれ挿通させ、ナットで固定される。ここで、Ｖ字ボルト４１は、リング部材２２ａの周方向（図２（ｂ）の紙面に対して垂直方向）に２つ設けられ、それぞれ架台３２ｂの裏側３２ｃの上部（ボルト穴３２ｄ、３２ｄ、３２ｅ、３２ｅ）に固定されている。また、Ｖ字ボルト４２も同様に、リング部材２２ｂの周方向（図２（ｂ）の紙面に対して垂直方向）に２つ設けられ、それぞれ架台３２ｂの裏側３２ｃの下部（ボルト穴３２ｆ、３２ｆ、３２ｇ、３２ｇ）に固定されている。
【００２２】
（２）レール部材の設置工程
この工程では、鉄塔１０の任意の部位に台棒１０１ａ（図９参照）を設置し、台棒１０１ａに支持されたワイヤ３８（図８（ｂ）参照）をワイヤ係止部３２ｈに係止してパラボラアンテナユニット３２を支持しながらＶ字ボルト４１、４２を外してパラボラアンテナユニット３２を第２リング２２から外し、パラボラアンテナユニット３２を吊り上げたまま、第２リング２２のリング部材２２ａ上に、周方向に分割された複数のスペーサ５０ａ、５０ｂ、５０ｃ、５０ｄ、５０ｅ、５０ｆ、５０ｇ、５０ｈ、５０ｉを配置し、更にその上に、複数のレール部材７０ａ、７０ｂ、７０ｃ、７０ｄを順に設置する。以下、スペーサ５０ａ、レール部材７０ａを例にとって説明するが、スペーサ５０ｂ、５０ｃ、５０ｄ、５０ｅ、５０ｆ、５０ｇ、５０ｈ、５０ｉ、レール部材７０ｂ、７０ｃ、７０ｄもそれぞれ同様の構成であり、同様に設置する。
【００２３】
図３及び図４に示すように、スペーサ５０ａは、リング部材２２ａ上に載置される底板部５１と、底板部５１から上方に延びる支持部５２とからなる。底板部５１と支持部５２は一体で形成することが好ましい。図３（ｂ）に示すように、スペーサ５０ａは、リング部材２２ａを下から挟むように配置したＶ字ボルト６０の先端のボルト部６１、６２を、底板部５１に設けられたボルト穴５１ａ、５１ｂにそれぞれ挿通し、ナットで固定されて、リング部材２２ａに固定される。
図３（ａ）に示すように、スペーサ５０ａは、リング部材２２ａの上面のうち、腕部１２とリング部材２２ａとの連結部材やボルト等の突起物（突起部分）を避けた平面上に配置する。この設置状態において、スペーサ５０ａは、その支持部５２の上面５２ａが、リング部材２２ａの上面に存在する前記突起物の高さよりも高くなる寸法で構成されている。さらに、支持部５２は、底板部５１から突出するボルト部６１、６２よりも高くなるように形成されている。
スペーサ５０ａ、５０ｂ、５０ｃ、５０ｄ、５０ｅ、５０ｆ、５０ｇ、５０ｈ、５０ｉは、それぞれの上面５２ａによって、レール部材を載置する平面を形成する。
【００２４】
図５（ａ）に示すように、レール部材７０ａは、リング部材２２ａの円弧に合わせた円弧形状で構成されている。レール部材７０ａは、水平方向に延びてスペーサ５０ａの上面５２ａ上に配置される設置平面を形成するレール基部７１と、レール基部７１から鉛直上向きに延び、移動補助部材８０（図６（ｂ））によってパラボラアンテナユニット３２が係合するアンテナ支持部７２と、を備える。レール部材７０ａは、レール基部７１をスペーサ５０ａの上面５２ａ上に配置した状態で、レール基部７１に設けられたボルト穴７１ａ、７１ｂとスペーサ５０ａのボルト穴５３ａ、５３ｂとをそれぞれ位置合わせしてボルト７４、７４を挿通し、ナットによって固定されて、スペーサ５０ａに固定される。レール部材７０ａは、スペーサ５０ａと同様にして、スペーサ５０ｂ、スペーサ５０ｃにも固定される。
レール部材７０ａは、リング部材２２ａにおいてパラボラアンテナユニット３２を取り付けた設置位置（第１位置）Ｐ１から、パラボラアンテナユニット３２を取り外す取り外し位置（第２位置）Ｐ２に至る、リング部材２２ａの周方向に沿った円弧部分上に固定する。ここで、設置位置（第１位置）Ｐ１及び取り外し位置（第２位置）Ｐ２は、それぞれ、リング部材２２ａ上の所定の方位の位置であるとともに、これに対応するレール部材７０ａ上の位置である。
図６（ａ）に示すように、レール部材７０ａ、７０ｂ、７０ｃ、７０ｄ（分割レール）は、リング部材２２ａの周方向に沿って順に配置されており、第１位置から第２位置に至るまで、リング部材２２ａの周方向に沿った一連の円弧形状を形成している。これにより、レール部材７０ａ、７０ｂ、７０ｃ、７０ｄの各アンテナ支持部７２が一連の円弧形状のレールとなり、後述するようにパラボラアンテナユニット３２を第１位置から第２位置まで案内することが可能となる。レール部材は、設置位置（第１位置）Ｐ１から取り外し位置（第２位置）Ｐ２に至るまでの必要な長さ分のみの分割レールを地上から運び上げればよく、また、複数の分割レールとして構成することにより鉄塔という高所への運び上げ及び固定作業の容易化を図ることが可能である。
なお、図５（ａ）及び図６（ａ）に示すように、レール部材７０ａ、７０ｂ、７０ｃ、７０ｄ（分割レール）は、それぞれ異なる長さで構成してもよいし、総て同じ長さで構成してもよい。レール部材は、複数のスペーサ間を掛け渡すように配置する以外にも、１つのスペーサ上に１つ配置するようにしてもよい。
【００２５】
（３）移動補助部材取り付け工程
この工程では、レール部材の設置工程に引き続いて、ワイヤ３８によってリング部材２２ａから吊り上げられた状態のパラボラアンテナユニット３２に対して、移動補助部材８０を取り付ける。移動補助部材８０は、パラボラアンテナユニット３２に固定され、パラボラアンテナユニット３２をレール部材（７０ａ乃至７０ｄ）に係合可能とするものである。
図７（ａ）に示すように、摺動プレート８１は、板状部材であり、アンテナ支持部７２の上端面と接触する下側端面８１ａを有する。下側端面８１ａは、アンテナ支持部７２との接触面積を減らすような曲面形状を備える。この曲面形状としては、例えば、アンテナ支持部７２と点又は小さな面で接触するような半球面形状、アンテナ支持部７２と線で接触するような円弧形状を採用可能である。
図７（ｂ）に示すように、押さえプレート８２は、略長方形の平面形状の板状部材であり、その上下方向の長さは、摺動プレート８１よりも長くなっている。
【００２６】
図８（ｂ）に示すように、摺動プレート８１及び押さえプレート８２は、架台３２ｂの裏側３２ｃ（パラボラアンテナユニット３２の裏側）の上部に対して、摺動プレート８１、押さえプレート８２の順に配置した状態で、架台３２ｂの裏側３２ｃに設けられたボルト穴３２ｄ、３２ｄと、摺動プレート８１のボルト穴８１ｂ、８１ｃと、押さえプレート８２のボルト穴８２ｂ、８２ｃと、をそれぞれ位置合わせしてボルト９２、９２を挿通し、ナットによって固定されて、架台３２ｂに対して固定される。このボルト穴３２ｄは、上述の通り、パラボラアンテナユニット３２をリング部材２２ａに設置するためのＶ字ボルト４１を挿通するボルト穴である（図２（ｂ）参照）。このように、ボルト穴３２ｄ、３２ｄを用いることによって、新たなボルト穴を設ける必要がなく、移動補助部材８０の取り付け作業の容易化を図ることが可能である。ここで、摺動プレート８１及び押さえプレート８２は、図６（ｂ）及び図８（ｂ）の紙面に対して垂直方向に２組設けられ（第１移動補助部材、第２移動補助部材）、それぞれ架台３２ｂの裏側３２ｃの上部（ボルト穴３２ｄ、３２ｄ）に固定されている。
【００２７】
摺動プレート８１の下側端面８１ａの下方には、摺動プレート８１と押さえプレート８２の側面の面積の違いにより、架台３２ｂと押さえプレート８２の下部８２ａとで挟まれた空間９３が形成される（図８（ｂ）参照）。この空間９３内にレール部材７０ａのアンテナ支持部７２を入れると、レール部材７０ａのアンテナ支持部７２の上端面と摺動プレート８１の下側端面８１ａとが接触した状態で、パラボラアンテナユニット３２がレール部材７０ａに係合される。パラボラアンテナユニット３２は、作業員によって手押しされると、摺動プレート８１の下側端面８１ａがアンテナ支持部７２の上端面で摺動しつつ、設置位置（第１位置）Ｐ１から取り外し位置（第２位置）Ｐ２までレール部材７０ａ、７０ｂ、７０ｃ、７０ｄ（分割レール）に案内されて、リング部材２２ａに沿って移動することが可能となる。
ここで、摺動プレート８１及び押さえプレート８２の厚み、高さなどの形状は、パラボラアンテナユニット３２の移動が確実かつスムーズに行うことのできる形状であれば任意に設計可能である。
【００２８】
（４）アンテナ移動工程
上述の通り、移動補助部材取り付け工程で取り付けた移動補助部材８０をレール部材７０ａに係止しつつ、図６（ａ）の矢印方向に、パラボラアンテナユニット３２が作業員により手押しされると、パラボラアンテナユニット３２は、レール部材７０ａ、７０ｂ、７０ｃ、７０ｄによって順次案内されて、設置位置Ｐ１から取り外し位置Ｐ２まで移動する。ここで、摺動プレート８１の下側端面８１ａの形状をアンテナ支持部７２との接触面積を減らすような形状としているため、摺動時の摩擦抵抗が小さくなっており、これによりパラボラアンテナユニット３２を人力による移動が可能かつ容易になっている。また、アンテナ支持部７２の上端面と摺動プレート８１の下側端面８１ａとの間に、潤滑油等の摩擦抵抗を低減する物質を塗布しながら、アンテナユニット３２を移動させると、より移動作業が容易になる。また、移動にあたっては、パラボラアンテナユニット３２（特に架台３２ｃ）及び第２リング２２に、落下防止のためのワイヤ等を掛け渡し、そのワイヤ等を付け替えて、移動補助部材８０とレール部材７０ａの係合を補助することが好ましい。
【００２９】
（５）アンテナ吊り降ろし工程
図９は、パラボラアンテナユニット３２を地上へ吊り降ろす状態を示す斜視図である。アンテナ吊り降ろし工程では、アンテナ移動工程で取り外し位置（第２位置）Ｐ２まで移動したパラボラアンテナユニット３２を、鉄塔１０に設けた台棒１０１ｂで吊り上げて、移動補助部材８０とレール部材７０ａの係合を解除した後に、第２リング２２のリング部材２２ｂ等に取り付けられた金車１０５に通されたメインワイヤ（ウインチワイヤ）１０２に吊り替えて、メインワイヤ１０２を駆動しつつパラボラアンテナユニット３２を所定の経路で地上まで吊り降ろす。メインワイヤ１０２は、パラボラアンテナユニット３２の略中央を支持する。メインワイヤ１０２のほか、パラボラアンテナユニット３２は、ガイドワイヤ１０３、１０４によって左右端を支持されている。ガイドワイヤ１０３、１０４を用いることにより、メインワイヤ１０２による吊り降ろし中にパラボラアンテナユニット３２が回転、振動して鉄塔１０やほかのパラボラアンテナユニット等に接触することを防止することができる。
【００３０】
以下に変形例について説明する。
上述の実施形態においては、スペーサ５０ａを、リング部材２２ａの上面のうち、ボルト等の突起物のない平面上に配置していたが、本発明は特にこれに限定されない。スペーサ５０ａの底面形状をその突起物の形状に対応させて形成し、リング部材２２ａの上面の突起物がある部位に固定するように設けても良い。この場合もスペーサの上面によってレール部材を載置する平面を形成する。
【００３１】
上述の説明では、パラボラアンテナユニットの設置位置を第１位置、取り外し位置を第２位置としたが、第１位置及び第２位置はこれ以外の設定としてもよい。本発明は、例えば、同一リング上においてパラボラアンテナユニットの設置方位を変更したい場合にも有用であり、リングに沿ってパラボラアンテナユニットを容易に移動できるため、設置方位の変更を容易かつ正確に行うことができる。
【００３２】
上述の実施形態では、スペーサ及びレール部材の設置の後に、移動補助部材の取り付けを行うこととしていたが、移動補助部材の取り付けを先に行っても良いし、これらを並行して行っても良い
【００３３】
摺動プレート８１と押さえプレート８２とは一体で形成してもよい
また、摺動プレート８１とアンテナ支持部７２の関係は、パラボラアンテナユニットの移動時の抵抗を減らすことができれば、上述の例に限定されない。例えば、アンテナ支持部７２の上端面と摺動プレート８１の下側端面８１ａの間に金属製の球を多数配置すると、球の回動によってスムーズにパラボラアンテナユニットを移動させることが可能となる。
【００３４】
本発明について上記実施形態を参照しつつ説明したが、本発明は上記実施形態に限定されるものではなく、改良の目的または本発明の思想の範囲内において改良または変更が可能である。
【産業上の利用可能性】
【００３５】
以上のように、本発明に係るアンテナ移動装置及びアンテナ移動方法は、移動経路が限定されているパラボラアンテナユニットの取り付け及び取り外し作業に有用である。
【符号の説明】
【００３６】
１０    鉄塔
２１    第１リング
２２    第２リング
２２ａ、２２ｂ  リング部材
２３    第３リング
２４    第４リング
３１、３２、３３、３４、３５、３６、３７  パラボラアンテナユニット
３２ｃ  裏側
３２ｄ、３２ｅ、３２ｆ、３２ｇ  ボルト穴
４１、４２、６０  Ｖ字ボルト
５０ａ、５０ｂ、５０ｃ、５０ｄ、５０ｅ、５０ｆ、５０ｇ、５０ｈ、５０ｉ  スペーサ
５２ａ  上面
７０ａ、７０ｂ、７０ｃ、７０ｄ  レール部材
７１    レール基部
７２    アンテナ支持部
８０    移動補助部材
８１    摺動プレート
８２    押さえプレート
９３    空間
１００  アンテナ移動装置
【図１】
2015070490.tif 000003
【図２】
2015070490.tif 000004
【図３】
2015070490.tif 000005
【図４】
2015070490.tif 000006
【図５】
2015070490.tif 000007
【図６】
2015070490.tif 000008
【図７】
2015070490.tif 000009
【図８】
2015070490.tif 000010
【図９】
2015070490.tif 000011